(57)【要約】【課題】内視鏡の処置具挿通チャンネルに通したままの状態で、先端処置部材の突出長を処置対象の患部の状態にピッタリ適合する長さに容易に調整することができ、しかも極めてシンプルで実用性の高い低コストの構成でそれを達成することができる内視鏡用処置具を提供すること。【解決手段】複数の素線を撚り合わせて形成された撚り線２，２′を操作ワイヤ２の少なくとも先端近傍部分に用いると共に、撚り線２，２′の外周面に圧接されて押し潰された状態に弾性変形する軟質圧接部材４を可撓性シース１の先端近傍に設けて、操作ワイヤ２を操作部２０側からの操作で軸線周りに回転操作することにより、撚り線２，２′が軟質圧接部材４との圧接係合により軸線周りに回転しながら軸線方向に進退し、それによって可撓性シース１の先端からの先端処置部材３の突出長が変化するようにした。【選択図】      図１
2008000310.tif 000002
【特許請求の範囲】
【請求項１】
内視鏡の処置具挿通チャンネルに挿脱される可撓性シースの先端から前方に向かって突没する先端処置部材が、上記可撓性シース内に挿通配置された操作ワイヤの先端に連結され、上記可撓性シースの基端に連結された操作部から上記操作ワイヤを操作することにより、上記可撓性シースの先端からの上記先端処置部材の突出長を変化させることができるように構成された内視鏡用処置具において、
複数の素線を撚り合わせて形成された撚り線を上記操作ワイヤの少なくとも先端近傍部分に用いると共に、上記撚り線の外周面に圧接されて押し潰された状態に弾性変形する軟質圧接部材を上記可撓性シースの先端近傍に設けて、上記操作ワイヤを上記操作部側からの操作で軸線周りに回転操作することにより、上記操作ワイヤの先端近傍部分を形成する上記撚り線が上記軟質圧接部材との圧接係合により軸線周りに回転しながら軸線方向に進退し、それによって上記可撓性シースの先端からの上記先端処置部材の突出長が変化するようにしたことを特徴とする内視鏡用処置具。
【請求項２】
上記先端処置部材が高周波電極である請求項１記載の内視鏡用処置具。
【請求項３】
上記先端処置部材が、上記操作ワイヤの先端近傍部分を形成する撚り線の素線の一部を延出させて形成されている請求項１又は２記載の内視鏡用処置具。
【請求項４】
上記操作ワイヤが全長にわたって一つの撚り線で形成されている請求項１、２又は３記載の内視鏡用処置具。
【請求項５】
上記操作ワイヤの上記軟質圧接部材と圧接係合する部分付近とそれより基端寄りの部分とがピッチの異なる撚り線で形成されて、それら複数の撚り線が直列に連結されている請求項１、２又は３記載の内視鏡用処置具。
【請求項６】
上記操作ワイヤの上記軟質圧接部材と圧接係合する部分付近が、それより基端寄りの部分よりピッチの大きな撚り線で形成されている請求項５記載の内視鏡用処置具。
【請求項７】
上記操作ワイヤの上記軟質圧接部材と圧接係合する部分より基端寄りの部分が回転伝達能の大きなトルクワイヤで形成されている請求項５又は６記載の内視鏡用処置具。
【請求項８】
上記軟質圧接部材が、チューブ状の部材である請求項１ないし７のいずれかの項に記載の内視鏡用処置具。
【請求項９】
上記軟質圧接部材が、中実の棒状の部材である請求項１ないし７のいずれかの項に記載の内視鏡用処置具。
【請求項１０】
上記軟質圧接部材が、上記操作ワイヤの周囲を囲む環状の部材である請求項１ないし７のいずれかの項に記載の内視鏡用処置具。
【請求項１１】
上記軟質圧接部材が、上記可撓性シースの内周面と上記操作ワイヤの外周面とで押し潰されて弾性変形した状態で上記可撓性シースの先端近傍内に圧入配置されている請求項１ないし１０のいずれかの項に記載の内視鏡用処置具。
【請求項１２】
上記軟質圧接部材が上記操作ワイヤの先端近傍部分を形成する撚り線と係合しない位置に移動するのを規制するための圧接部材移動規制手段が設けられている請求項１１記載の内視鏡用処置具。
【請求項１３】
上記圧接部材移動規制手段が上記可撓性シースの先端部分に取り付けられている請求項１２記載の内視鏡用処置具。
【請求項１４】
上記圧接部材移動規制手段が上記可撓性シース自体を変形させて形成されている請求項１２記載の内視鏡用処置具。
【請求項１５】
上記圧接部材移動規制手段が、上記軟質圧接部材の外周面の上記撚り線と接触せず上記可撓性シースと接触する領域に施された表面処理である請求項１２記載の内視鏡用処置具。
【請求項１６】
上記圧接部材移動規制手段が上記操作ワイヤに取り付けられている請求項１２記載の内視鏡用処置具。
【請求項１７】
上記操作部に、上記可撓性シースに対して上記操作ワイヤを軸線周りに回転操作するための手段と軸線方向に進退操作するための手段とが併設されている請求項１ないし１６のいずれかの項に記載の内視鏡用処置具。
【発明の詳細な説明】
【技術分野】
【０００１】
この発明は、内視鏡の処置具挿通チャンネルに通して使用される内視鏡用処置具に関する。
【背景技術】
【０００２】
内視鏡用処置具は一般に、内視鏡の処置具挿通チャンネルに挿脱される可撓性シースの先端から前方に向かって突没する先端処置部材が軸線方向に進退自在に設けられて、可撓性シース内に挿通配置された操作ワイヤの先端に先端処置部材が連結され、操作ワイヤを軸線方向に進退操作することにより可撓性シースの先端からの先端処置部材の突出長を変化させることができるように構成されている（例えば、特許文献１、２）。
【０００３】
ただし、先端処置部材を可撓性シースの先端から適当な長さ突出した状態に調整することができるだけでその状態の維持が不安定な構成では、使用中に粘膜面等から受ける力等で先端処置部材の突出長が変化してしまい、却って危険な状態になりかねない。
【０００４】
そこで特許文献１に記載された発明では、先端処置部材の突出長を調整するためのネジ部材を可撓性シースの先端部分に取り付けている。また、可撓性シースが可撓性チューブで形成された特許文献２に記載された発明では、先端処置部材の基部に可撓性チューブの内径より大きな幅広部分を形成して、その幅広部分が可撓性チューブを押し広げることにより生じる摩擦抵抗で、先端処置部材の突出長を安定して維持することができるようにしている。
【特許文献１】特開２００２−１１３０１６
【特許文献２】特開２００５−２７０２４０
【発明の開示】
【発明が解決しようとする課題】
【０００５】
しかし、特許文献１に記載された発明のように、先端処置部材の突出長を調整するためのネジ部材を可撓性シースの先端部分に取り付ける構造では、直径が２ｍｍ程度の内視鏡用処置具としては装置が複雑で実用的でないだけでなく、可撓性シースの先端が体腔内にある状態では突出長の調整を行えないので、突出長調整を行う必要が生じる度に内視鏡の処置具挿通チャンネルから処置具を引き出さなければならないという大きな不都合がある。
【０００６】
また、特許文献２に記載された発明のように、先端処置部材の基部に形成された幅広部分で可撓性チューブを押し広げる構成にすると、先端処置部材の製造コストが高くつくだけでなく、可撓性シースの先端からの先端処置部材の突出長を変化させる際には操作ワイヤを軸線方向に進退操作することになるので、突出長の微細な調整をするのは困難であり、先端処置部材の突出長を処置対象の患部の状態にピッタリ適合する長さに調整することができない場合が少なくない。
【０００７】
そこで本発明は、内視鏡の処置具挿通チャンネルに通したままの状態で、先端処置部材の突出長を処置対象の患部の状態にピッタリ適合する長さに容易に調整することができ、しかも極めてシンプルで実用性の高い低コストの構成でそれを達成することができる内視鏡用処置具を提供することを目的とする。
【課題を解決するための手段】
【０００８】
上記の目的を達成するため、本発明の内視鏡用処置具は、内視鏡の処置具挿通チャンネルに挿脱される可撓性シースの先端から前方に向かって突没する先端処置部材が、可撓性シース内に挿通配置された操作ワイヤの先端に連結され、可撓性シースの基端に連結された操作部から操作ワイヤを操作することにより、可撓性シースの先端からの先端処置部材の突出長を変化させることができるように構成された内視鏡用処置具において、複数の素線を撚り合わせて形成された撚り線を操作ワイヤの少なくとも先端近傍部分に用いると共に、撚り線の外周面に圧接されて押し潰された状態に弾性変形する軟質圧接部材を可撓性シースの先端近傍に設けて、操作ワイヤを操作部側からの操作で軸線周りに回転操作することにより、操作ワイヤの先端近傍部分を形成する撚り線が軟質圧接部材との圧接係合により軸線周りに回転しながら軸線方向に進退し、それによって可撓性シースの先端からの先端処置部材の突出長が変化するようにしたものである。
【０００９】
なお、先端処置部材が高周波電極であってもよく、先端処置部材が、操作ワイヤの先端近傍部分を形成する撚り線の素線の一部を延出させて形成されていてもよい。また、操作ワイヤが全長にわたって一つの撚り線で形成されていてもよい。
【００１０】
また、操作ワイヤの軟質圧接部材と圧接係合する部分付近とそれより基端寄りの部分とがピッチの異なる撚り線で形成されて、それら複数の撚り線が直列に連結されていてもよく、その場合、操作ワイヤの軟質圧接部材と圧接係合する部分付近が、それより基端寄りの部分よりピッチの大きな撚り線で形成されていてもよく、操作ワイヤの軟質圧接部材と圧接係合する部分より基端寄りの部分が回転伝達能の大きなトルクワイヤで形成されていてもよい。
【００１１】
なお、軟質圧接部材が、チューブ状の部材であってもよく、中実の棒状の部材であってもよく、或いは操作ワイヤの周囲を囲む環状の部材であってもよい。
そして、軟質圧接部材が、可撓性シースの内周面と操作ワイヤの外周面とで押し潰されて弾性変形した状態で可撓性シースの先端近傍内に圧入配置されていてもよく、その場合、軟質圧接部材が操作ワイヤの先端近傍部分を形成する撚り線と係合しない位置に移動するのを規制するための圧接部材移動規制手段が設けられていてもよい。
【００１２】
そのような圧接部材移動規制手段は可撓性シースの先端部分に取り付けられていてもよい。また、圧接部材移動規制手段が可撓性シース自体を変形させて形成されていてもよく、或いは、圧接部材移動規制手段が、軟質圧接部材の外周面の撚り線と接触せず可撓性シースと接触する領域に施された表面処理であってもよい。また、圧接部材移動規制手段が操作ワイヤに取り付けられていてもよい。
【００１３】
また、操作部に、可撓性シースに対して操作ワイヤを軸線周りに回転操作するための手段と軸線方向に進退操作するための手段とが併設されていてもよい。
【発明の効果】
【００１４】
本発明によれば、複数の素線を撚り合わせて形成された撚り線を操作ワイヤの少なくとも先端近傍部分に用いると共に、撚り線の外周面に圧接されて押し潰された状態に弾性変形する軟質圧接部材を可撓性シースの先端近傍に設けて、操作ワイヤを操作部側からの操作で軸線周りに回転操作することにより、操作ワイヤの先端近傍部分を形成する撚り線が軟質圧接部材との圧接係合により軸線周りに回転しながら軸線方向に進退し、それによって可撓性シースの先端からの先端処置部材の突出長が変化するようにしたことにより、内視鏡用処置具を内視鏡の処置具挿通チャンネルに通したままの状態で、先端処置部材の突出長を処置対象の患部の状態にピッタリ適合する長さに容易に調整することができ、しかも極めてシンプルで実用性の高い低コストの構成でそれを達成することができる。
【発明を実施するための最良の形態】
【００１５】
内視鏡の処置具挿通チャンネルに挿脱される可撓性シースの先端から前方に向かって突没する先端処置部材が、可撓性シース内に挿通配置された操作ワイヤの先端に連結され、可撓性シースの基端に連結された操作部から操作ワイヤを操作することにより、可撓性シースの先端からの先端処置部材の突出長を変化させることができるように構成された内視鏡用処置具において、複数の素線を撚り合わせて形成された撚り線を操作ワイヤの少なくとも先端近傍部分に用いると共に、撚り線の外周面に圧接されて押し潰された状態に弾性変形する軟質圧接部材を可撓性シースの先端近傍に設けて、操作ワイヤを操作部側からの操作で軸線周りに回転操作することにより、操作ワイヤの先端近傍部分を形成する撚り線が軟質圧接部材との圧接係合により軸線周りに回転しながら軸線方向に進退し、それによって可撓性シースの先端からの先端処置部材の突出長が変化するようにする。
【実施例】
【００１６】
図面を参照して本発明の実施例を説明する。
図５は本発明の第１の実施例の内視鏡用処置具の全体構成を示しており、図示されていない内視鏡の処置具挿通チャンネルに挿脱される例えば四フッ化エチレン樹脂チューブ等のような可撓性チューブからなる可撓性シース１内に、導電性を有する例えばステンレス鋼線の撚り線からなる操作ワイヤ２が、可撓性シース１に対して軸線周りに回転自在に且つ軸線方向に進退自在に全長にわたって挿通配置されている。
【００１７】
操作ワイヤ２の先端には導電性を有する細い真っ直ぐなロッド状の高周波電極が先端処置部材３として一体的に連結されて、可撓性シース１の先端から前方に向かって突没する状態に配置されている。先端処置部材３は、操作ワイヤ２の先端部分と共に可撓性シース１に対して軸線周りに回転自在且つ軸線方向に進退自在である。
【００１８】
２０は操作部であり、可撓性シース１の基端に連結された操作部本体２１の後端部に固定指掛２２が形成され、操作部本体２１に摺動自在に配置された可動指掛２３に操作ワイヤ２の基端２ａが連結固定されていて、図示されていない高周波電源コードが接続される接続端子２４が操作ワイヤ２に導通して可動指掛２３に配置されている。
【００１９】
そして、高周波電源コードを接続端子２４に接続することにより、導電性の操作ワイヤ２を経由して先端処置部材３に高周波電流を通電し、先端処置部材３に触れる生体組織に対して高周波処置を行うことができる。
【００２０】
１０は、可撓性シース１の基端に固着された摘みであり、図６に示されるように、操作部本体２１の先端部分に形成された軸受孔２１ａに軸線周りに回転自在に（ただし、軸線方向には移動できない状態に）係合するシース基端口金１１が、摘み１０に連結固着されている。２６は、可動指掛２３が軸線方向に摺動自在に係合するように操作部本体２１に形成されたスリットである。
【００２１】
そのような構成により、図５に矢印Ａで示されるように、可動指掛２３を軸線方向に移動操作すれば、操作ワイヤ２が可撓性シース１内で軸線方向に移動して、矢印Ｂで示されるように先端処置部材３が可撓性シース１の先端から突没し、摘み１０を指先で保持して矢印Ｃで示されるように操作部２０全体を軸線周りに回転操作すれば、可撓性シース１内で操作ワイヤ２が軸線周りに回転して、矢印Ｄで示されるように先端処置部材３が可撓性シース１の先端で軸線周りに回転すると同時に軸線方向に微小に移動する螺動運動をする。
【００２２】
図１は可撓性シース１の先端付近を示しており、図２の斜視図にも示されるように、先端処置部材３は、複数の素線を撚り合わせて形成された撚り線からなる操作ワイヤ２の中の例えば一本の芯線等のような一部の素線を延出させた部分で構成されて、操作ワイヤ２に対して継ぎ目なく形成されている。
【００２３】
この実施例の操作ワイヤ２は、全長にわたって、例えばステンレス鋼線製の７本の素線を撚り合わせたいわゆる１×７本撚りの一つの撚り線で一つながりに形成されている。ただし、回転伝達能の大きないわゆるトルクワイヤ等で操作ワイヤ２を形成してもよい。
【００２４】
図１に示されるように、可撓性シース１の先端近傍内には、撚り線である操作ワイヤ２の外周面に圧接されて押し潰された状態に弾性変形する軟質圧接部材４が圧入配置されている。この実施例の軟質圧接部材４は例えば四フッ化エチレン樹脂チューブ等のようなチューブ状部材であり、断面形状が円形の素材チューブを、III−III断面を図示する図３に示されるように、可撓性シース１の内周面と操作ワイヤ２の外周面とで押し潰されて、操作ワイヤ２で押し潰された部分が窪んだ形状に弾性変形した状態に配置されている。
【００２５】
この実施例の軟質圧接部材４は、可撓性シース１の先端側から可撓性シース１内に押し込まれた状態に配置されているだけで可撓性シース１に対して固着されていない。したがって、低コストで極めて容易に製造することができる。
【００２６】
このような構成により、操作部２０側からの操作で図４に示されるように操作ワイヤ２を軸線周りに回転操作すると（矢印Ｃ）、可撓性シース１の先端付近で軟質圧接部材４が操作ワイヤ２に圧接した状態に係合していることにより、操作ワイヤ２が軸線周りに回転すると同時に軸線方向に移動する螺動運動をし、それと共に先端処置部材３が螺動運動をして（矢印Ｄ）、可撓性シース１の先端からの先端処置部材３の突出長を微小に変化させることができる。
【００２７】
これは、柔軟性のある軟質圧接部材４に対して撚り線である操作ワイヤ２が圧接した状態に係合していることによるものであるが、前述の図３に図示されるように、操作ワイヤ２と軟質圧接部材４との接触面積より軟質圧接部材４と可撓性シース１との接触面積の方が遙かに大きいことにより、可撓性シース１内で操作ワイヤ２に作用する摩擦抵抗より軟質圧接部材４に作用する摩擦抵抗の方が大きくて、軟質圧接部材４が可撓性シース１に対して殆ど移動しないからでもある。
【００２８】
その結果、ネジ部材等を一切用いることなく一般的な撚り線からなる操作ワイヤ２を利用して、軟質圧接部材４を可撓性シース１内に圧入するだけの簡単で低コストな構成により、内視鏡用処置具を内視鏡の処置具挿通チャンネルに通したままの状態で、先端処置部材３の突出長を微細に調整して処置対象の患部の状態にピッタリ適合した長さにすることができる。
【００２９】
また、操作部２０において操作ワイヤ２を軸線方向に進退操作することもできるので、先端処置部材３の突出長の粗調は進退方向で行って、最後の微調だけを回転操作で行うようにすることもできる。
【００３０】
そして、操作ワイヤ２は、軟質圧接部材４が圧接した状態に係合して両者間に摩擦抵抗が付与されていることにより、何も操作されてない状態の時は可撓性シース１内に軽く固定された状態になっているので、先端処置部材３が体内粘膜に触れた程度では先端処置部材３の突出長が変化せず、最適の状態に調整された突出長を安定して保つことができる。
【００３１】
なお、図１に示されるように、この実施例の可撓性シース１の先端には、操作ワイヤ２の先端面が当接することで可撓性シース１の先端からの先端処置部材３の最大突出長を規制する、例えばＰＥＥＫ（ポリエーテルエーテルケトン）樹脂製の丸棒状の前方ストッパ部材５が圧入固定されて、その軸線位置に形成された貫通孔内を先端処置部材３が緩く通過している。
【００３２】
また、軟質圧接部材４が可撓性シース１の先端から前方に抜け出すようなことがあると、操作ワイヤ２と係合することができなくなるが、前方ストッパ部材５はそのようなことを防止する圧接部材移動規制手段の機能も有している。
【００３３】
なお、図７に示される第２の実施例のように、前方ストッパ部材５を単独の部品として設けずに、可撓性シース１の先端部分を熱成形等で細く絞って前方ストッパ部材５を形成してもよい。
【００３４】
図８は、本発明の第３の実施例の内視鏡用処置具の軟質圧接部材４部分の軸線に垂直な断面を示している。この実施例では、軟質圧接部材４として材料自体が弾力性を有する中実の棒状の部材を用いており、例えばシリコン樹脂やシリコンゴム等で形成することができる。その他の構成は前述の第１の実施例と同じであり、第１の実施例と同様の作用効果を得ることができる。
【００３５】
図９は、本発明の第４の実施例の内視鏡用処置具の可撓性シース１の先端付近を示している。この実施例では、軟質圧接部材４として、撚り線である操作ワイヤ２の外周面に圧接されて押し潰された状態に弾性変形する環状（円筒状）の部材を用いている。
【００３６】
このように構成した場合は、軟質圧接部材４が操作ワイヤ２と共動し易いので接着又は機械的な手段等により軟質圧接部材４を可撓性シース１に固定することが望ましい。他の構成は前述の第１の実施例と同じであり、第１の実施例と同様の作用効果を得ることができる。
【００３７】
図１０は、本発明の第５の実施例の内視鏡用処置具の可撓性シース１の先端付近を示している。この実施例では、軟質圧接部材４が軸線方向に移動するのを規制するための内方突起６（圧接部材移動規制手段）が、軟質圧接部材４の前後の位置で可撓性シース１自体を内方に窪んだ状態に変形させて形成され、それによって軟質圧接部材４が操作ワイヤ２と係合しない位置に移動するのを規制している。他の構成は前述の第１の実施例と同じであり、第１の実施例と同様の作用効果を得ることができる。
【００３８】
図１１は、本発明の第６の実施例の操作ワイヤ２と軟質圧接部材４を示しており、軟質圧接部材４と可撓性シース１の内周面との間の摩擦抵抗を増加させるための表面処理８（圧接部材移動規制手段）を、軟質圧接部材４の外周面の操作ワイヤ２（撚り線）と接触せず可撓性シース１と接触する領域に施したものである。
【００３９】
このような表面処理８は強酸等を用いて化学的に容易に行うことができ、軟質圧接部材４が可撓性シース１に対して移動し難くして、軟質圧接部材４が操作ワイヤ２と係合しない位置に移動するのを安定的に規制することができる。
【００４０】
図１２は、本発明の第７の実施例の可撓性シース１の先端部分を示しており、操作ワイヤ２の軟質圧接部材４と圧接係合する部分付近の撚り線２′とそれより基端寄りの部分の撚り線２″とをピッチの異なる撚り線で形成して、その二つの撚り線２′，２″を直列に連結したものである。９は、二つの撚り線２′，２″を接続固着する接続パイプであり、その他の構成は前述の第１の実施例と同じである。
【００４１】
軟質圧接部材４と圧接係合する部分付近の撚り線２′としては、例えば図１３に断面が示されるような１×３本撚り程度で、基端寄りの部分の撚り線２″より素線径が太くてピッチの大きな撚り線が使用されている。
【００４２】
このように構成することにより、操作ワイヤ２の回転角度に対する先端処置部材３の軸線方向進退量を大きくすることができる。そして、基端寄りの部分の撚り線２″としてトルクワイヤ等を用いれば、軟質圧接部材４と圧接係合する部分付近の撚り線２′を操作部２０側から追従性よく回転操作することができる。なお、操作ワイヤ２を全長にわたって１×３本撚り程度の撚り線で形成すると、操作ワイヤ２に曲がり癖がつき易くなって好ましくない場合が多い。
【００４３】
図１４は、本発明の第８の実施例の可撓性シース１の先端部分を示しており、軟質圧接部材４と圧接係合する部分付近の撚り線２′の前後を、各々接続パイプ９で先端処置部材３及び基端寄りの部分の撚り線２″と連結固着し、各接続パイプ９を外径が可撓性シース１の内径に沿う程度の大きさに形成して、軟質圧接部材４が軸線方向に移動するのを規制するための圧接部材移動規制手段になるようにしたものである。その他の構成は前述の第１の実施例と同様である。
【００４４】
なお、本発明は上記実施例に限定されるものではなく、例えば、軟質圧接部材４の具体的構成は各種の態様を採ることができ、また先端処置部材３に高周波電流を通電しないような内視鏡用処置具にも本発明を適用することができる。
【図面の簡単な説明】
【００４５】
【図１】本発明の第１の実施例の内視鏡用処置具の先端部分の側面断面図である。
【図２】本発明の第１の実施例の内視鏡用処置具の先端部分の部分斜視図である。
【図３】本発明の第１の実施例の内視鏡用処置具の図１におけるIII−III断面図である。
【図４】本発明の第１の実施例の内視鏡用処置具の先端部分の動作状態を示す側面断面図である。
【図５】本発明の第１の実施例の内視鏡用処置具の全体構成を示す外観図である。
【図６】本発明の第１の実施例の内視鏡用処置具の操作部の部分断面図である。
【図７】本発明の第２の実施例の内視鏡用処置具の先端部分の側面断面図である。
【図８】本発明の第３の実施例の内視鏡用処置具の先端部分の軸線に垂直な断面図である。
【図９】本発明の第４の実施例の内視鏡用処置具の先端部分の側面断面図である。
【図１０】本発明の第５の実施例の内視鏡用処置具の先端部分の側面断面図である。
【図１１】本発明の第６の実施例の内視鏡用処置具の軟質圧接部材と操作ワイヤの部分斜視図である。
【図１２】本発明の第７の実施例の内視鏡用処置具の先端部分の側面断面図である。
【図１３】本発明の第７の実施例の内視鏡用処置具の図１２におけるXIII−XIII断面図である。
【図１４】本発明の第８の実施例の内視鏡用処置具の先端部分の側面断面図である。
【符号の説明】
【００４６】
１  可撓性シース
２  操作ワイヤ（撚り線）                                                        ２′  撚り線
３  先端処置部材
４  軟質圧接部材
５  前方ストッパ部材（圧接部材移動規制手段）
６  内方突起（圧接部材移動規制手段）
８  表面処理（圧接部材移動規制手段）
９  接続パイプ（圧接部材移動規制手段）
１０  摘み
２０  操作部
【図１】
2008000310.tif 000003
【図２】
2008000310.tif 000004
【図３】
2008000310.tif 000005
【図４】
2008000310.tif 000006
【図５】
2008000310.tif 000007
【図６】
2008000310.tif 000008
【図７】
2008000310.tif 000009
【図８】
2008000310.tif 000010
【図９】
2008000310.tif 000011
【図１０】
2008000310.tif 000012
【図１１】
2008000310.tif 000013
【図１２】
2008000310.tif 000014
【図１３】
2008000310.tif 000015
【図１４】
2008000310.tif 000016